(57)【要約】【課題】使用時に一個ずつ又は必要個数ずつ確実に排出できるタブレットケースを提供するものである。【解決手段】タブレット収納容器部１００　とタブレット排出孔２２１　をもつ受け皿容器部２００　とジョイント部材３００　とリボルバー型回転部材４００　とからなり、受け皿容器部の上方に、摺動可能にジョイント部材を接続し、このジョイント部材の上方に、タブレット収納容器部のタブレット阻害縦リブ１３０　の真下にジョイント部材の１個のタブレット落下孔３２０　が位置するようにして、タブレット収納容器部を咬合させて固着し、リボルバー型回転部材を受け皿容器部の連結支柱２３０　の先端に嵌合させて固着して、タブレット収納容器部の内側下端部に回転可能に設ける。【選択図】図１
2004090936.tif 000002
【特許請求の範囲】
【請求項１】
タブレット収納容器部と受け皿容器部とジョイント部材とリボルバー型回転部材とからなる円筒状のプラスチック製のタブレットケースであって、前記タブレット収納容器部は、天板と、下端部内周に前記ジョイント部材との咬合部をもつ円筒状の周壁と、内側の一側に設ける下端が前記リボルバー型回転部材の上方近傍に到るタブレット阻害縦リブとからなり、前記受け皿容器部は、中央位置に連結支柱を立設する底板と、下方一側にタブレット排出孔を設ける円筒状の周壁とからなり、前記ジョイント部材は、円板状で、中央位置に連結支柱貫通孔を設け、該連結支柱貫通孔の外側の所定位置に１個のタブレット落下孔を設け、上面周縁部に前記タブレット収納容器部との咬合リングを立設し、該咬合リングと対向する下面周縁部に前記受け皿容器部との摺接リングを垂設し、リボルバー型回転部材は、回転円板の下面中央位置に前記受け皿容器部の連結支柱との嵌合部を設け、該嵌合部を中心として複数個のタブレット落下孔を周方向に等間隔で配設し、それぞれの前記タブレット落下孔に連続させて下面に一個のタブレットを収容するタブレット収容筒を垂設し、前記受け皿容器部の上方に、摺動可能に前記ジョイント部材を接続し、該ジョイント部材の上方に、前記タブレット収納容器部のタブレット阻害縦リブの真下に前記ジョイント部材の１個のタブレット落下孔が位置するようにして、前記タブレット収納容器部を咬合させて固着し、かつ前記リボルバー型回転部材を前記受け皿容器部の連結支柱の先端に嵌合させて固着して、前記タブレット収納容器部の内側下端部に回転可能に設け、前記タブレット収納容器部に収納するタブレットを一個ずつ排出することを特徴とするタブレットケース。
【発明の詳細な説明】
【０００１】
【発明の属する技術分野】
本発明は、菓子、医薬部外品、医薬品などのタブレットを、使用するときに、一個ずつ確実に取り出すことができるプラスチック製のタブレットケースに関するものである。
【０００２】
【従来の技術】
従来、プラスチック製のタブレットケースとしては、使用するときに、取出し口を開口し、内容物のタブレットを振り出す構造のものが一般的なものであった。
【０００３】
【発明が解決しようとする課題】
しかしながら、上述の従来の振り出し構造のタブレットケースの場合には、一度に多数個のタブレットが振り出され、過剰に振り出されたタブレットをケースに再度戻すことなどがあった。このため、一度に、タブレットを一個ずつ又は必要個数だけ取り出せるタブレットケースの開発が求められていた。
【０００４】
本発明は、上述の従来のタブレットケースにおける市場の要請に応えたものであり、使用するときに、一個ずつ又は必要個数だけを確実に取り出せるタブレットケースを提供するものである。
【０００５】
【課題を解決するための手段】
すなわち、本発明は、タブレット収納容器部と受け皿容器部とジョイント部材とリボルバー型回転部材とからなる円筒状のプラスチック製のタブレットケースであって、前記タブレット収納容器部は、天板と、下端部内周に前記ジョイント部材との咬合部をもつ円筒状の周壁と、内側の一側に設ける下端が前記リボルバー型回転部材の上方近傍に到るタブレット阻害縦リブとからなり、前記受け皿容器部は、中央位置に連結支柱を立設する底板と、下方一側にタブレット排出孔を設ける円筒状の周壁とからなり、前記ジョイント部材は、円板状で、中央位置に連結支柱貫通孔を設け、この連結支柱貫通孔の外側の所定位置に１個のタブレット落下孔を設け、上面周縁部に前記タブレット収納容器部との咬合リングを立設し、この咬合リングと対向する下面周縁部に前記受け皿容器部との摺接リングを垂設し、リボルバー型回転部材は、回転円板の下面中央位置に前記受け皿容器部の連結支柱との嵌合部を設け、この嵌合部を中心として複数個のタブレット落下孔を周方向に等間隔で配設し、それぞれの前記タブレット落下孔に連続させて下面に一個のタブレットを収容するタブレット収容筒を垂設し、前記受け皿容器部の上方に、摺動可能に前記ジョイント部材を接続し、このジョイント部材の上方に、前記タブレット収納容器部のタブレット阻害縦リブの真下に前記ジョイント部材の１個のタブレット落下孔が位置するようにして、前記タブレット収納容器部を咬合させて固着し、かつ前記リボルバー型回転部材を前記受け皿容器部の連結支柱の先端に嵌合させて固着して、前記タブレット収納容器部の内側下端部に回転可能に設け、前記タブレット収納容器部に収納するタブレットを一個ずつ排出することを特徴とするタブレットケースである。
【０００６】
【発明の実施の形態】
次に、本発明のタブレットケースを一実施形態に基づいて、図を用いて詳細に説明する。
図１（ａ）は、本発明の一実施形態のタブレットケースの構造を示す説明図であり、図１（ｂ）は、タブレットを一個取り出したときの状態を示す説明図である。図２は、リボルバー型回転部材の底面図である。
【０００７】
本実施形態のタブレットケース（１０）は、図１（ａ）に示すように、タブレット収納容器部（１００）とタブレット排出孔（２２１）をもつ受け皿容器部（２００）とジョイント部材（３００）とリボルバー型回転部材（４００）とからなる円筒状のプラスチック製のタブレットケースであり、受け皿容器部の上方に、摺動可能にジョイント部材を接続し、このジョイント部材の上方に、タブレット収納容器部のタブレット阻害縦リブ（１３０）の真下にジョイント部材の１個のタブレット落下孔（３２０）が位置するようにして、タブレット収納容器部を咬合させて固着し、また、リボルバー型回転部材を受け皿容器部の連結支柱（２３０）の先端に嵌合させて固着して、タブレット収納容器部の内側下端部に回転可能に設け、図１（ｂ）に示すように、タブレット収納容器部（１００）に収納するタブレット（２０）を一個ずつ又は必要個数だけ受け皿容器部（２００）のタブレット排出孔（２２１）から排出させて取り出すことができるタブレットケース（１０）である。
【０００８】
タブレット収納容器部（１００）の構造は、図１（ａ）及び（ｂ）に示すように、凸状の天板（１１０）と、下端部内周にジョイント部材（３００）との咬合部（１２１）をもつ円筒状の周壁（１２０）と、内側の一側に設ける下端がリボルバー型回転部材（４００）の上方近傍に到る垂直なタブレット阻害縦リブ（１３０）とからなり、通常では、ポリプロピレン、ポリエチレン、ポリスチロールなどの使用目的に合った熱可塑性樹脂を用いて、射出成形法により作製するものである。
【０００９】
また、受け皿容器部（２００）の構造は、図１（ａ）及び（ｂ）に示すように、中央位置に連結支柱（２３０）を立設する底板（２１０）と、下端部の一側にタブレット排出孔（２２１）を設ける円筒状の外径がタブレット収納容器部（１００）の外径とほぼ同じの周壁（２２０）とからなり、通常では、ポリプロピレン、ポリエチレンなどの使用目的に合った熱可塑性樹脂を用いて、射出成形法により作製するものである。
【００１０】
また、ジョイント部材（３００）の構造は、図１（ａ）に示すように、円板状で外径がタブレット収納容器部（１００）及び受け皿容器部（２００）の外径とほぼ同じであり、中央位置に連結支柱貫通孔（３１０）を設け、この連結支柱貫通孔の外側の所定位置に１個のタブレット落下孔（３２０）を設け、上面周縁部にタブレット収納容器部（１００）との上方外周に咬合部（３３１）をもつ咬合リング（３３０）を立設し、この咬合リングと対向する下面周縁部に受け皿容器部（２００）との摺接リング（３４０）を垂設するものである。通常では、ポリプロピレンなどの適度の剛性をもつ熱可塑性樹脂を用いて、射出成形法により作製するものである。なお、１個のタブレット落下孔（３２０）を設ける所定位置とは、後述するタブレットケースを使用するときに、タブレット収容容器部のタブレット阻害縦リブの真下にきたリボルバー型回転部材のタブレット収納容器部の真下の位置である。
【００１１】
そして、リボルバー型回転部材（４００）の構造は、図１（ａ）及び図２に示すように、外径がタブレット収納容器部（１００）の周壁（１２０）の内径よりやや小さい回転円板（４１０）の下面中央位置に、受け皿容器部（２００）の連結支柱（２３０）との嵌合部（４１１）を設け、この嵌合部を中心として５個のタブレット落下孔（４１２）を周方向に等間隔で配設し、それぞれのタブレット落下孔に連続させて下面に一個のタブレット（２０）を収容するタブレット収容筒（４２０）を垂設するものであり、通常では、ポリプロピレンなどの適度の剛性をもつ熱可塑性樹脂を用いて、射出成形法により作製するものである。
【００１２】
本発明のタブレットケースは、上方のタブレット収納容器部を片手で支え、他方の手で下方の受け皿容器部を回転させると、タブレット収納容器部とジョイント部材とは、咬合して一体となっており、また、受け皿容器部とリボルバー型回転部材とは、嵌合して一体となっているため、受け皿容器部を回転させるとリボルバー型回転部材も回転する。そして、ジョイント部材がリボルバー型回転部材のタブレット収容筒の底板の役目をしているため、通常、リボルバー型回転部材のタブレット収容筒には、タブレットの自重によりタブレット収納容器部から一個ずつ収容されている。リボルバー型回転部材が回転して、タブレット収納容器部のタブレット阻害縦リブの真下にきたタブレット収納筒は、ジョイント部材のタブレット阻害縦リブの真下の位置にタブレット落下孔が設けられているため、入っていたタブレットが自重により受け皿容器部内へ落下して空になるが、上方にはタブレット阻害縦リブがあるため、新しいタブレットは入ってこない。さらに、受け皿容器部を回転させるとリボルバー型回転部材も回転し、タブレット収納筒上にタブレット阻害縦リブがなくなり、新しいタブレットがタブレット収納容器部から自重により落下して収容される。一方、タブレット阻害縦リブの真下にきたタブレット収納容器部に入っていたタブレットは受け皿容器部へ自重により落下して空になる。このようにして、一個ずつ受け皿容器部を回転させながら、所定数のタブレットを受け皿容器部に溜めることができ、受け皿容器部に溜まってタブレットは、ケースを傾斜させることにより、タブレット排出孔から排出させることができる。
【００１３】
【発明の効果】
本発明のタブレットケースは、収納するタブレットを一個ずつ取り出せる機能をもち、使用するときに、片手で上方のタブレット収納容器部を支えて、他方の手で下方の受け皿容器部を回転すると、一個ずつタブレットが受け皿容器部内へ落下してくる。このため、一個又は必要個数のタブレットを受け皿容器部内に溜めて、ケースを傾斜させて、受け皿容器部のタブレット排出孔から、必要個数のタブレットを排出させて取り出すことができる。
【図面の簡単な説明】
【図１】（ａ）は、本発明の一実施形態のタブレットケースの構造を示す説明図であり、（ｂ）は、タブレットを一個取り出したときの状態を示す説明図である。
【図２】リボルバー型回転部材の底面図である。
【符号の説明】
１０……タブレットケース
２０……タブレット
１００……タブレット収納容器部
１１０……天板
１２０，２２０……周壁
１２１，３３１……咬合部
１３０……タブレット阻害縦リブ
２００……受け皿容器部
２１０……底板
２２１……タブレット排出孔
２３０……連結支柱
２３１，４１１……嵌合部
３００……ジョイント部材
３１０……連結支柱貫通孔
３２０，４１２……タブレット落下孔
３３０……咬合リング
３４０……摺接リング
４００……リボルバー型回転部材
４１０……回転円板
４２０……タブレット収容筒
【図１】
2004090936.tif 000003
【図２】
2004090936.tif 000004